(57)【要約】【課題】  時間的に変動する磁場により効率的に交流の電気を発生する電子装置を提供する。【解決手段】  第１の電極層、第２の電極層および第１と第２の電極層の間に形成された電解質層を有し、電解質層はお互いに混じり合わない２以上の液相を有し、２以上の液相は第１の電極層に対して各々異なる接触電位を生じるとともに第２の電極層に対しても各々異なる接触電位を生じ、２以上の液相の少なくとも１つは２以上の液相の他の液相に対して磁場に対して異なる加速度で動き、第１および第２の電極層は２以上の液相の全てに対して耐腐食性を有する。【選択図】図１
2020025374.tif 000002
【特許請求の範囲】
【請求項１】
時間的に変動する磁場に置かれて交流の電気を発生する電子装置であって、
前記電子装置は、第１の電極層、第２の電極層および前記第１の電極層と前記第２の電極層の間に形成された電解質層を有し、
前記電解質層は、お互いに混じり合わない２以上の液相を有し、
前記２以上の液相は、前記第１の電極層に対して各々異なる接触電位を生じるとともに、前記第２の電極層に対しても各々異なる接触電位を生じ、
前記２以上の液相の少なくとも１つは、前記２以上の液相の他の液相に対して、磁場に対して異なる加速度で動き、
前記第１の電極層および前記第２の電極層は、前記２以上の液相の全てに対して耐腐食性を有する、電子装置。
【請求項２】
第１の電極層、第２の電極層および前記第１の電極層と前記第２の電極層の間に形成された電解質層を有する発電部と、前記電解質層に変動する磁場を与える変動磁場生成部と、を有し、
前記電解質層は、お互いに混じり合わない２以上の液相を有し、
前記２以上の液相は、前記第１の電極層に対して各々異なる接触電位を生じるとともに、前記第２の電極層に対しても各々異なる接触電位を生じ、
前記２以上の液相の少なくとも１つは、前記２以上の液相の他の液相に対して、前記磁場に応じて異なる加速度で動き、
前記第１の電極層および前記第２の電極層は、前記２以上の液相の全てに対して耐腐食性を有する、電子装置。
【請求項３】
前記変動磁場生成部は、永久磁石を振動させる手段を有する、請求項２記載の電子装置。
【請求項４】
前記変動磁場生成部は、永久磁石と磁場遮断手段とを有する、請求項２記載の電子装置。
【請求項５】
前記２以上の液相は、お互いに比重が異なる、請求項１から４の何れか一に記載の電子装置。
【請求項６】
前記電解質層は、第１の液相と、第１の液相とお互いに混じり合わない第２の液相からなる、請求項１から５の何れか一に記載の電子装置。
【請求項７】
前記第１の液相は１−ブチル−３−メチルイソミダゾリウムテトラクロロフェラート（Ｃ6Ｈ15Ｃｌ4ＦｅＮ2）であり、前記第２の液相はアルカンを含む有機溶媒である、請求項６記載の電子装置。
【請求項８】
前記第２の液相はヘキサンである、請求項７記載の電子装置。
【請求項９】
前記第１の電極層は、白金（Ｐｔ）、金（Ａｕ）、窒化ホウ素（ＢＮ）、ダイヤモンド、グラファイト、窒化ガリウム（ＧａＮ）、チタン酸ストロンチウム（ＳｒＴｉＯ3）、酸化亜鉛（ＺｎＯ）の少なくともいずれか１を含む、請求項１から８の何れか一に記載の電子装置。
【請求項１０】
前記第２の電極層は、白金（Ｐｔ）、金（Ａｕ）、窒化ホウ素（ＢＮ）、ダイヤモンド、グラファイト、窒化ガリウム（ＧａＮ）、チタン酸ストロンチウム（ＳｒＴｉＯ3）、酸化亜鉛（ＺｎＯ）の少なくともいずれか１を含む、請求項１から９の何れか一に記載の電子装置。
【請求項１１】
遠心力を印加する手段を備えた請求項１から１０の何れか一に記載の電子装置。
【請求項１２】
請求項１から１１の何れか一に記載の電子装置と、整流手段と、蓄電手段とを有し、前記電子装置の第１および第２電極層が前記整流手段を介して前記蓄電手段に電気的に繋がれている、蓄電装置。
【発明の詳細な説明】
【技術分野】
【０００１】
本発明は、交流の電気を発生する電子装置およびその電気を蓄える蓄電装置に係り、特に時間的に変動する磁場により交流の電気を発生する電子装置およびその電気を蓄える蓄電装置に関する。
【背景技術】
【０００２】
近年、電気エネルギーのスマート利用から蓄電装置の需要が高まっている。
電池やキャパシタなどの蓄電装置においては、化学、熱、光等のエネルギー源により供給される電場下での荷電粒子の輸送を用いて蓄電が行われている。これは荷電粒子が輸送され電極界面や電極内において濃度差を生じ、それに伴い電極の帯電状態を変化させるために通常電場が必要なためである。そして、蓄電には上述のようなエネルギー源が必要になっている。
【０００３】
一方、荷電粒子は電場だけでなく磁場でも輸送可能であることが知られており、それを利用した帯電状態制御が示唆されている（非特許文献１、２および参照）。
磁場（磁気エネルギー）は小型磁石で与えることが出来るため可搬性が高く、これを用いた帯電状態の制御が可能になれば、利便性・汎用性の高い蓄電装置等への発展が期待される。
蓄電装置を一例にすれば、太陽光のような光エネルギー、風力エネルギー等の供給源のない暗闇・無風状態でも蓄電出来る。特に高深度、水中、宇宙空間のような極限状態においても好適に利用することができる。
【０００４】
磁場を蓄電に用いようとする試みはすでになされているが、下記に示すように、これまでは電力を直接生み出し、蓄電するというものではなかった。
例えば、非接触電力伝送では、電磁誘導によって蓄電する。この場合は電力を非接触で伝送する手段として磁場が使われているが、伝送される電力自体は磁場（磁気エネルギー）で蓄電したものではない（非特許文献３参照）。
また、電池の反応物を効率良く流動させるために磁性流体を利用している例がある。そこでは蓄電装置の動作の一部に磁場が関わっているが、磁場は撹拌に利用されているのであり、磁場（磁気エネルギー）で畜電しているのではない（非特許文献４参照）。
本発明は、磁場の時間的変化を使って電気を発生させ、それを蓄電する電子装置を提供するものである。
【先行技術文献】
【非特許文献】
【０００５】
【非特許文献１】Ｉｎｏｒｇ．Ｃｈｅｍ．，ｖｏｌ．４０，ｐ．２２９８（２００１）
【非特許文献２】Ａｐｐｌ．Ｐｈｙｓ．Ｌｅｔｔ．，ｖｏｌ．３９２，ｐ．４６０（２００４）
【非特許文献３】ＩＥＥＥ  Ｊ．，ｖｏｌ．１２８，Ｎｏ．１２，ｐ．７９６（２００８）
【非特許文献４】Ｎａｎｏ  Ｌｅｔｔ．，ｖｏｌ．１５，ｐ．７３９４（２０１５）
【発明の概要】
【発明が解決しようとする課題】
【０００６】
本発明概解決しようとする課題は、時間的に変動する磁場により効率的に交流の電気（交流電力）を発生する電子装置を提供することであり、また、磁場のオンオフにより交流の電気を発生する電子装置を提供することである。そして、発生した電気を基に蓄電する蓄電装置を提供することである。
【課題を解決するための手段】
【０００７】
本発明者は、上記課題を解決すべく鋭意検討を重ねた結果、磁場により加速度を発生させる特性の異なる複数の電解質材料（磁性特性の異なる複数の電解質材料）、一対の電極、および永久磁石の運動などによる磁場の時間変化を組み合わせることで、上記課題が効果的に解決される方法を考案し、本発明を完成するに至った。
【０００８】
本発明の構成は以下の通りである。
（構成１）
時間的に変動する磁場に置かれて交流の電気を発生する電子装置であって、
前記電子装置は、第１の電極層、第２の電極層および前記第１の電極層と前記第２の電極層の間に形成された電解質層を有し、
前記電解質層は、お互いに混じり合わない２以上の液相を有し、
前記２以上の液相は、前記第１の電極層に対して各々異なる接触電位を生じるとともに、前記第２の電極層に対しても各々異なる接触電位を生じ、
前記２以上の液相の少なくとも１つは、前記２以上の液相の他の液相に対して、磁場に対して異なる加速度で動き、
前記第１の電極層および前記第２の電極層は、前記２以上の液相の全てに対して耐腐食性を有する、電子装置。
（構成２）
第１の電極層、第２の電極層および前記第１の電極層と前記第２の電極層の間に形成された電解質層を有する発電部と、前記電解質層に変動する磁場を与える変動磁場生成部と、を有し、
前記電解質層は、お互いに混じり合わない２以上の液相を有し、
前記２以上の液相は、前記第１の電極層に対して各々異なる接触電位を生じるとともに、前記第２の電極層に対しても各々異なる接触電位を生じ、
前記２以上の液相の少なくとも１つは、前記２以上の液相の他の液相に対して、前記磁場に応じて異なる加速度で動き、
前記第１の電極層および前記第２の電極層は、前記２以上の液相の全てに対して耐腐食性を有する、電子装置。
（構成３）
前記変動磁場生成部は、永久磁石を振動させる手段を有する、構成２記載の電子装置。
（構成４）
前記変動磁場生成部は、永久磁石と磁場遮断手段とを有する、構成２記載の電子装置。
（構成５）
前記２以上の液相は、お互いに比重が異なる、構成１から４の何れか一に記載の電子装置。
（構成６）
前記電解質層は、第１の液相と、第１の液相とお互いに混じり合わない第２の液相からなる、構成１から５の何れか一に記載の電子装置。
（構成７）
前記第１の液相は１−ブチル−３−メチルイソミダゾリウムテトラクロロフェラート（Ｃ6Ｈ15Ｃｌ4ＦｅＮ2）であり、前記第２の液相はアルカンを含む有機溶媒である、構成６記載の電子装置。
（構成８）
前記第２の液相はヘキサンである、構成７記載の電子装置。
（構成９）
前記第１の電極層は、白金（Ｐｔ）、金（Ａｕ）、窒化ホウ素（ＢＮ）、ダイヤモンド、グラファイト、窒化ガリウム（ＧａＮ）、チタン酸ストロンチウム（ＳｒＴｉＯ3）、酸化亜鉛（ＺｎＯ）の少なくともいずれか１を含む、構成１から８の何れか一に記載の電子装置。
（構成１０）
前記第２の電極層は、白金（Ｐｔ）、金（Ａｕ）、窒化ホウ素（ＢＮ）、ダイヤモンド、グラファイト、窒化ガリウム（ＧａＮ）、チタン酸ストロンチウム（ＳｒＴｉＯ3）、酸化亜鉛（ＺｎＯ）の少なくともいずれか１を含む、構成１から９の何れか一に記載の電子装置。
（構成１１）
遠心力を印加する手段を備えた構成１から１０の何れか一に記載の電子装置。
（構成１２）
構成１から１１の何れか一に記載の電子装置と、整流手段と、蓄電手段とを有し、前記電子装置の第１および第２電極層が前記整流手段を介して前記蓄電手段に電気的に繋がれている、蓄電装置。
【発明の効果】
【０００９】
本発明によれば、磁場のオンオフなど時間的に変動する磁場により効率的に交流の電気を発生する電子装置およびその電気を蓄える蓄電装置が提供される。
【図面の簡単な説明】
【００１０】
【図１】本発明の一態様である、磁場下でのイオン輸送によって発電を可能にする電子装置の模式図。
【図２】発電メカニズムを説明する装置断面概要図。
【図３】発電メカニズムを説明する装置断面概要図。
【図４】蓄電装置の装置概要構成図
【図５】蓄電装置の装置概要構成図
【図６】磁場変化に伴う電流の変化を示す特性図。
【発明を実施するための形態】
【００１１】
＜装置構成＞
最初に、本発明の電子装置の構成について説明する。
本発明の電子装置１０１は、図１に示すように、第１の電極層３、第２の電極層４、第１の電極層と第２の電極層の間に配置されるお互いに混じり合わない２以上の液相からなる電解質層１１（図１では、第１の液相１と第２の液相２からなる２の液相からなる場合を図示）を含む。なお、この部分を発電部とも呼ぶことにする。
ここで、電解質層１１中の液相のうちの２以上は少なくともその一部分において第１の電極層３または第２の電極層４に接触し、接触電位を生じさせるものとする。
【００１２】
そして、電子装置１０１に時間的に変動する磁力線（磁界）５１を印加する。磁力線５１は強度が強いほど好ましい。
ここで、磁力線５１は、環境等の電子装置１０１の外部から与えられるものでもよいし、電子装置１０１に永久磁石を配置するなどして電子装置１０１に磁場発生手段を具備（図示なし）するようにしてもよい。
磁力線５１の発生手段を電子装置１０１に具備させる場合は、磁場発生源である磁石などを近づけたり遠ざけたりして動きを与え（振動を与え）、電解質層１１に印加される磁場に時間変動を与えられるようにする。または、パーマロイなどの磁場遮断材を磁場発生源と第１の電極層３、第２の電極層４および電解質層１１からなる電子装置１０１コア部の間に抜き差しするようにして（磁場遮断オンオフによって）、電解質層１１に印加される磁場に時間変動を与えられるようにする。なお、磁場発生源と磁場に時間変動を与える手段を合わせて変動磁場生成部と称することにする。
磁力線５１が環境等の電子装置１０１の外部から与えられる具体例としては、大きなモーターや遮断機器の近くの機電環境、直流駆動の電車が頻繁に往来する近傍の環境、活発な活動をする恒星の影響を受ける宇宙空間などの環境を挙げることができる。
【００１３】
磁力線５１発生手段として磁石を用いる場合は、磁石としては、外部からのエネルギー供給を必要とせずに磁界を発生させることができる点から永久磁石が好ましい。具体的には、フェライト磁石等の汎用磁石、サマリウムコバルト磁石、ネオジム磁石等の希土類磁石等を挙げることができる。この中で、高強度の磁界を発生する観点から、希土類磁石が特に好ましい。磁力線５１の強度（磁場）は、強いほど好ましく、１００ｍＴ以上が好ましい。
【００１４】
電解質層１１を構成する２以上の液相は、第１の電極層３に対して各々異なる接触電位を生じるとともに、第２の電極層４に対しても各々異なる接触電位を生じるものとする。
ここで、接触電位の差は大きいほど大きな電力を発生しやすくなるので好ましい。
さらに、２以上の液相の少なくとも１つは、２以上の液相の他の液相に対して、磁場に対して異なる加速度で動くものとする。
ここで、２以上の液相は、第１の液相と第２の液相からなる２層であると、構造が簡素化され、電子装置１０１の製造が容易となり、また小型化する際に有利になる。
液相は、具体的には、第１の液相１として１−ブチル−３−メチルイミダゾリウムテトラクロロフェラート（Ｃ6Ｈ15Ｃｌ4ＦｅＮ2、以下［ｂｍｉｍ］ＦｅＣｌ4と称す）および［ｂｍｉｍ］ＦｅＣｌ4を含む液体を挙げることができ、第２の液相２としては、ヘキサン、オクタン等のアルカンを挙げることができる。ここで、［ｂｍｉｍ］ＦｅＣｌ4を含む液体の例としては、純水を挙げることができる。
［ｂｍｉｍ］ＦｅＣｌ4は磁場に置かれると磁力を受け、加速度が発生する。一方、ヘキサン、オクタン等のアルカンは磁場に反応しないため、加速度は発生しない。
【００１５】
電解質層１１を構成する２以上の液相は、お互いに比重が異なるようにしておくことが好ましい。液相の間で比重差を設けるようにすると、磁力線５１が遮断されたり、その強度が弱まったときに元の状態に戻る復元力が働き、発電効率が上がる。このため、比重差は大きいほど好ましい。
ちなみに、室温における前述の第１の液相１の材料として例示した［ｂｍｉｍ］ＦｅＣｌ4の比重は１．４であり、第２の液相２の材料として例示したヘキサンの比重は０．６５である。
【００１６】
また、電子装置１０１、特に電解質層１１に遠心力が作用する手段が設けられていることが好ましい。重力による比重差復元力とともに、遠心力による復元力が加わって発電効率が上がる。
また、宇宙空間等重力が作用しない空間においても、比重差に基づく復元力が発生して発電効率を上げることが可能になる。
遠心力は、例えば回転する物体の壁面に配置することなどによって作用させることができる。例えば、自転回転する宇宙船の壁面に電子装置１０１を配置することにより、作用させることができる。
【００１７】
第１の電極層３および第２の電極層４は、ともに、電解質層１１を構成する２以上の液相全てに対して耐腐食性を有する導電性の電極である。第１の電極層３および第２の電極層が耐腐食性を有することにより、経時的に安定な電子装置１０１になる。
ここで、第１の電極層３としては、白金（Ｐｔ）、金（Ａｕ）、窒化ホウ素（ＢＮ）、ダイヤモンド、グラファイト、窒化ガリウム（ＧａＮ）、チタン酸ストロンチウム（ＳｒＴｉＯ3）、酸化亜鉛（ＺｎＯ）の少なくともいずれか１を挙げることができる。
また、第２の電極層４としても、Ｐｔ、Ａｕ、ＢＮ、ダイヤモンド、グラファイト、ＧａＮ、ＳｒＴｉＯ3、ＺｎＯの少なくともいずれか１を挙げることができる。
【００１８】
＜動作＞
次に、電子装置１０１の動作について説明する。
ここでは、簡単化してわかりやすくするため、第１の液相１が第２の液相２より比重が大きくて、かつ第１の液相１が磁場に応じて力を受け、加速度を生じるのに対して、第２の液相２は磁場に応答して加速度を生じない場合について説明する。これは、具体的には、第１の液相１として［ｂｍｉｍ］ＦｅＣｌ4を、第２の液相２としてヘキサンを用いた場合に相当する。
【００１９】
電解質層１１に磁場がかからない（磁力線５１が作用しない）状態では、比重の重い第１の液相１が第２の液相２に対して沈み込む（重力方向に沿って下側にくる）。そして、第１の液相１と接する第１の電極層３と、第２の液相２に接する第２の電極層４には各々の材料に応じた接触電位が生じる。
電解質層１１に磁力線５１が作用すると第１の液相１は磁力線５１に応じて加速度を受ける。その方向が、重力方向と反対側、すなわち上側に向かう方向の場合、第１の液相１は上に動き、第２の液相２はそれに伴い下側に沈みこむ。そして、第１の液相１と接する第２の電極層４と、第２の液相２に接する第１の電極層３には各々の材料に応じた接触電位が生じる。
磁力線５１が遮断される、あるいは時間とともに磁力線５１の向きが逆側に変化すると、今度は第１の液相１が第２の液相２に対して沈み込む（重力方向に沿った下側にくる）。
このように、電解質層１１に磁力線５１の断続、磁力線強度および向きの周期的変化などにより時間とともに変動する磁場が作用すると、第１の液相１と第２の液相２が動き、それに伴い、材料による接触電位の差に基づき、第１の電極層３と第２の電極層４との間に電圧変動が発生する。この電圧変動を引き出して、電子装置１０１を交流電源、あるいは蓄電装置として利用することができる。
【００２０】
第１の電極層３および第２の電極層４は、電極として作用し、電解質層１１を閉じ込める壁の一部として機能する剛性を有すればよいので、その厚さはｍｍレベル以上であればよい。電子装置１０１の幅および奥行きは自由に設定することができ、例えば１ｃｍ×１ｃｍとすることもできる。したがって、電子装置１０１は、小型にすることが可能で、しかも簡便な構造を有する交流発電装置、蓄電装置とすることが可能である。
【００２１】
＜蓄電装置＞
次に、本発明による蓄電装置について、図４および図５を用いて説明する。
本発明の蓄電装置１２１は、図４に示すように、発電部である電子装置１０１（あるいはそれに変動磁場発生部を付加した電子装置。例えば実施例１で述べる電子装置１０２）、整流素子（整流手段）１１１、キャパシタ（蓄電手段）１１２を備え、これらが配線１１３で繋がれたものである。そして、キャパシタ１１２の両端の配線に繋がれた出力端子１１４から蓄電された電気を取り出すことができる。
図４に示す蓄電装置１２１は、電子装置１０１で発生した交流電流の一方向成分のみを蓄電するものであるが、電子装置１０１で発生した交流電流の両方向成分を蓄電して、蓄電効率を上げた構成とすることも可能である。その構成の一例を図５に示す。
図５に示す蓄電装置１２２は、電子装置１０１、整流素子（整流手段）１１１ａおよび１１１ｂ、キャパシタ（蓄電手段）１１２ａおよび１１１ｂを備え、これらが配線１１３で繋がれたものである。蓄電された電気は、蓄電装置１２１と同様にキャパシタ１１２ａおよび１１１ｂに繋がれた出力端子１１４から取り出すことができる。
蓄電装置１２１および蓄電装置１２２により、磁場を利用した発電機能を有する小型の蓄電装置が提供される。
【００２２】
以下、実施例を参照しながら本発明をさらに詳細に説明する。なお、本発明はいかなる意味においても以下の実施例によって限定されるものではない。
【実施例】
【００２３】
（実施例１）
実施例１は発電を可能にする電子装置１０２の実験実証例である。その電子装置１０２の概要構成を図２に示す。
第１の電極層３および第２の電極層４はともに金（Ａｕ）とし、電解質層１１は、第１の液相１を磁性液体電解質である［ｂｍｉｎ］ＦｅＣｌ4、第２の液相２をヘキサンとした。
前述のように、［ｂｍｉｎ］ＦｅＣｌ4およびヘキサンの比重は、室温で各々１．４と０．６５であり、第１の液相１の比重は第２の液相の２の比重より約２．２倍大きい。また、［ｂｍｉｎ］ＦｅＣｌ4とヘキサンは相溶しない。したがって、磁場を与えていない通常状態では、第１の液相１は第２の液相２の下側に沈んだ状態になっている。
【００２４】
時間的に変動する磁場は小型の磁石５を使用して印加した。すなわち、図２および図３に示すように、磁石５を遠ざけたり、近づけたりして時間的に変動する磁場を与えた。ここで、磁石５としては小型のネオジウム永久磁石を用いた。その磁束密度は５８０ｍＴである。
【００２５】
第２の金電極層４側に磁石５を近づけると、図３に示すように、磁石５による磁場によって磁気力が磁性液体の第１の液相１である［ｂｍｉｎ］ＦｅＣｌ4に働き、第１の液相１が上側に持ち上げられる。それに伴い第２の液相２は下側に押し下げられる。したがって、第１の液相１および第２の液相２が接触する電極層は逆転する。
［ｂｍｉｎ］ＦｅＣｌ4と金との接触電位は６４０ｍＶ（対Ａｇ／ＡｇＣｌ電極）であり、ヘキサンと金との接触電位は５６０ｍＶ（対Ａｇ／ＡｇＣｌ電極）である。そのため、第１の電極層３と第２の電極層４の間の電位に変動が生じる。
【００２６】
磁石５を第２の金電極層４から遠ざけると、第１の液相１である［ｂｍｉｎ］ＦｅＣｌ4に磁力が及ばなくなり、［ｂｍｉｎ］ＦｅＣｌ4とヘキサンとの比重差により第１の液相１が第２の液相２の下側に沈む。それに伴い、第１の電極層３と第２の電極層４の間の電位に変動が生じる。
このようにして、磁石５を近づけたり遠ざけたりして磁場の時間変動を与えると、第１の電極層３と第２の電極層４の間に交流電流が生じる。
【００２７】
図６に、磁石を近づけた後に遠ざけるという一連の動作を繰り返した際の第１の電極層３と第２の電極層４に生じる電圧をモニターした結果を示す。同図から、４０〜５０ｍＶの電圧が交互に入れ替わっており、本技術により交流発電していることが実証された。
【産業上の利用可能性】
【００２８】
本発明によれば、磁場のオンオフなど時間的に変動する磁場により効率的に交流電流を発生する電子装置および蓄電装置が提供される。
磁場の変動は、磁石の運動はもとより、様々な状況で発生する。それを基に発電および蓄電が行われるので、宇宙環境などこれまでにない様々な状況下で利用することが可能と考えられる。
【符号の説明】
【００２９】
１：第１の液相（磁気力感応液相）
２：第２の液相（磁気力不感応液相）
３：第１の電極層
４：第２の電極層
５：磁石（ネオジム永久磁石）
６：磁気力
１１：電解質層
５１：磁力線（磁界）
１０１：電子装置
１０２：電子装置
１１１：整流素子（整流手段）
１１１ａ：整流素子（整流手段）
１１１ｂ：整流素子（整流手段）
１１２：キャパシタ（蓄電手段）
１１２ａ：キャパシタ（蓄電手段）
１１２ｂ：キャパシタ（蓄電手段）
１１３：配線
１１４：出力端子
１２１：蓄電装置
１２２：蓄電装置
【図１】
2020025374.tif 000003
【図２】
2020025374.tif 000004
【図３】
2020025374.tif 000005
【図４】
2020025374.tif 000006
【図５】
2020025374.tif 000007
【図６】
2020025374.tif 000008